(57)【要約】  【課題】剛性に優れた背シェルを有するとともに着座者の背中に対して一定程度のクッション性を付与し得る椅子を提供する。  【解決手段】この椅子は、背フレームに支持された背シェルを備えたものであり、背シェルが、背シェル本体と、この背シェル本体に一体に設けられた肘掛けとを備えたものである。そして、背シェル本体の前面にその背シェル本体よりも柔軟性のある背受け部材を添設している。このようなものであれば、剛性に優れた背シェルを有してなるものであるにもかかわらず、着座者の背中に対して一定程度のクッション性を付与し得る椅子を提供することができる。【選択図】図１８
2018057641.tif 000002
【特許請求の範囲】
【請求項１】
背フレームに支持された背シェルを備えた椅子であって、
前記背シェルが、背シェル本体と、この背シェル本体に一体に設けられた肘掛けとを備えたものであり、
前記背シェル本体の前面にその背シェル本体よりも柔軟性のある背受け部材を添設している椅子。
【請求項２】
前記背シェル本体の背面に装着された背面カバーを備えており、この背面カバーと、前記背シェル本体と、前記背受け部材とによって、三重構造が形成されている請求項１記載の椅子。
【請求項３】
前記背シェル本体が、着座者の腰から下を支持するための下支持部分及び着座者の腰から上を支持するための上支持部分を備えたものであり、
前記肘掛けが、前記下支持部分の両側から前側に延出して設けられている請求項１又は２記載の椅子。
【請求項４】
前記下支持部分が、前記背シェル本体の前面を形成する前面壁と、この前面壁の背面に設けられた複数本のリブとを備えたものであり、前記前面壁と前記リブの一部を利用して下方に開放された背フレーム取付部が形成されている請求項３記載の椅子。
【請求項５】
前記背フレームが、前記背フレーム取付部に装着される上端取付部を備えたものであり、
前記上端取付部が、上縁から上方に突出する係合突部と、中間部に穿設された係止窓と、下端と上端近傍部に設けられた雌ねじ孔とを備えたものであり、
前記背フレーム取付部が、前記係合突部が挿入される係止孔と、前記係止窓の縁に係わり合う鉤部と、前記雌ねじ孔に対応するねじ挿通孔とを備えたものである請求項４記載の椅子。
【請求項６】
前記背フレーム取付部が、左右方向に離間する対をなす縦向きのリブとこれらの縦向きのリブの上部間に架設された横向きのリブとを含んで構成されたものであり、
前記係止孔が、前記横向きのリブに形成されたものであり、前記鉤部及びねじ挿通孔が前記前面壁に設けられたものである請求項５記載の椅子。
【請求項７】
前記背シェル本体が、着座者の腰から下を支持するための下支持部分及び着座者の腰から上を支持するための上支持部分を備えたものであり、
前記下支持部分が、板状をなす前面壁と、この前面壁の背面側に設けられた複数のリブを備えたものであり、
前記上支持部分が、板状をなす背面壁と、この背面壁の前面側に設けられた複数のリブとを備えたものであり、
前記背シェル本体が、前記前面壁の上縁と前記背面壁の下縁とを連続させるための境界壁を備えたものである請求項１、２、３、４、５又は６記載の椅子。
【請求項８】
前記背シェルを有した背凭れと、この背凭れの後傾動作に連動して後方に動作し得る座とを備えたものであり、
これら背凭れ及び座が、脚における脚支柱回りに回転可能に構成されている請求項１、２、３、４、５、６又は７記載の椅子。
【発明の詳細な説明】
【技術分野】
【０００１】
本発明は、オフィス等において好適に使用される椅子に関する。
【背景技術】
【０００２】
従来から、背凭れを備えてなる椅子が種々知られている（例えば、特許文献１を参照）。
【０００３】
ところで、この種の椅子においては、背凭れと肘掛けを一体に設けてなるものが存在する。しかしながら、従来のものは、背凭れが全体として硬質なものになっていたため、着座者の背中に対して一定程度のクッション性を付与し得るものとなっていなかった。
【先行技術文献】
【特許文献】
【０００４】
【特許文献１】特開２０１０−２５２８９２号公報
【発明の概要】
【発明が解決しようとする課題】
【０００５】
本発明は、以上のような事情に着目してなされたもので、剛性に優れた背シェルを有するとともに着座者の背中に対して一定程度のクッション性を付与し得る椅子を提供することにある。
【課題を解決するための手段】
【０００６】
すなわち、本発明は次の構成をなしている。
【０００７】
請求項１に記載の発明は、背フレームに支持された背シェルを備えた椅子であって、前記背シェルが、背シェル本体と、この背シェル本体に一体に設けられた肘掛けとを備えたものであり、前記背シェル本体の前面にその背シェル本体よりも柔軟性のある背受け部材を添設している椅子である。
【０００８】
請求項２に記載の発明は、前記背シェル本体の背面に装着された背面カバーを備えており、この背面カバーと、前記背シェル本体と、前記背受け部材とによって、三重構造が形成されている請求項１記載の椅子である。
【０００９】
請求項３に記載の発明は、前記背シェル本体が、着座者の腰から下を支持するための下支持部分及び着座者の腰から上を支持するための上支持部分を備えたものであり、前記肘掛けが、前記下支持部分の両側から前側に延出して設けられている請求項１又は２記載の椅子である。
【００１０】
請求項４に記載の発明は、前記下支持部分が、前記背シェル本体の前面を形成する前面壁と、この前面壁の背面に設けられた複数本のリブとを備えたものであり、前記前面壁と前記リブの一部を利用して下方に開放された背フレーム取付部が形成されている請求項３記載の椅子である。
【００１１】
請求項５に記載の発明は、前記背フレームが、前記背フレーム取付部に装着される上端取付部を備えたものであり、前記上端取付部が、上縁から上方に突出する係合突部と、中間部に穿設された係止窓と、下端と上端近傍部に設けられた雌ねじ孔とを備えたものであり、前記背フレーム取付部が、前記係合突部が挿入される係止孔と、前記係止窓の縁に係わり合う鉤部と、前記雌ねじ孔に対応するねじ挿通孔とを備えたものである請求項４記載の椅子である。
【００１２】
請求項６に記載の発明は、前記背フレーム取付部が、左右方向に離間する対をなす縦向きのリブとこれらの縦向きのリブの上部間に架設された横向きのリブとを含んで構成されたものであり、前記係止孔が、前記横向きのリブに形成されたものであり、前記鉤部及びねじ挿通孔が前記前面壁に設けられたものである請求項５記載の椅子である。
【００１３】
請求項７に記載の発明は、前記背シェル本体が、着座者の腰から下を支持するための下支持部分及び着座者の腰から上を支持するための上支持部分を備えたものであり、前記下支持部分が、板状をなす前面壁と、この前面壁の背面側に設けられた複数のリブを備えたものであり、前記上支持部分が、板状をなす背面壁と、この背面壁の前面側に設けられた複数のリブとを備えたものであり、前記背シェル本体が、前記前面壁の上縁と前記背面壁の下縁とを連続させるための境界壁を備えたものである請求項１、２、３、４、５又は６記載の椅子である。
【００１４】
請求項８に記載の発明は、前記背シェルを有した背凭れと、この背凭れの後傾動作に連動して後方に動作し得る座とを備えたものであり、これら背凭れ及び座が、脚における脚支柱回りに回転可能に構成されている請求項１、２、３、４、５、６又は７記載の椅子である。
【発明の効果】
【００１５】
以上説明したように本発明によれば、剛性に優れた背シェルを有するとともに着座者の背中に対して一定程度のクッション性を付与し得る椅子を提供することができるものとなる。
【図面の簡単な説明】
【００１６】
【図１】本発明の一実施形態を示す斜視図。
【図２】同実施形態における正面図。
【図３】同実施形態における背面図。
【図４】同実施形態における右側面図。
【図５】同実施形態における平面図。
【図６】同実施形態における底面図。
【図７】図２におけるＸ−Ｘ線断面図（下部)。
【図８】図２におけるＸ−Ｘ線断面図（上部）。
【図９】同実施形態における分解斜視図。
【図１０】同実施形態における分解斜視図。
【図１１】同実施形態における分解斜視図。
【図１２】同実施形態における斜視図。
【図１３】同実施形態における背面図。
【図１４】図１２におけるＹ−Ｙ線断面図。
【図１５】図１２におけるＺ−Ｚ線断面図。
【図１６】同実施形態における分解斜視図。
【図１７】同実施形態における分解斜視図。
【図１８】同実施形態における分解斜視図。
【図１９】同実施形態における背凭れの分解した状態の断面図。
【図２０】同実施形態における斜視図。
【図２１】図１９に示す状態における図１４対応の断面図。
【図２２】同実施形態における後傾動作制限機構を説明するための断面図。
【図２３】異なるタイプの背凭れに共通の背面カバーを適用し得ることを説明するための背面図。
【発明を実施するための形態】
【００１７】
以下、本発明の一実施形態を、図１〜２３を参照して説明する。なお、この実施形態では、背受け部材Ｍの前側には背クッションを配しているが、図示を省略している。
【００１８】
この実施形態は、本発明を、いわゆる体重感知式のロッキング機能を備えた事務用の回転椅子Ａ（以下、単に「椅子Ａ」という。）に適用したものである。
【００１９】
椅子Ａは、脚体１と、脚体１に支持された支持基部２と、支持基部２の上に配された座３と、支持基部２に背フレーム４を介して後傾動作可能に支持された背凭れＩとを備えている。
【００２０】
脚体１は、先端にキャスタ１２を備えた複数の脚羽根１１を放射状に配してなる脚ベース１ａと、脚ベース１ａに立設されたガススプリング製の脚支柱１ｂとを備えたものである。
【００２１】
支持基部２は、平板状をなす天壁２ａと、天壁２ａの左右両側縁から垂下させた平板状をなす側壁２ｂと、両側壁２ｂの下端部間に架設された底壁２ｃとを主体に構成されている。なお、支持基部２の外側には、合成樹脂により作られた隠蔽用のカバー２ｄが設けられている。
【００２２】
天壁２ａは、脚支柱１ｂに対応する中間部に当該脚支柱１ｂの上端部が露出し得る中間開口部２１を有するとともに後端部に反力バネＢが配設される後端開口部２２を備えた平板状のものである。天壁２ａの上面には、後述する後傾動作制限機構Ｄを構成する受け面ｍが設けられている。
【００２３】
側壁２ｂは、前端近傍部に上方に向かって漸次後退する方向に傾斜させた長孔２４を備えている。側壁２ｂの長孔２４には、座３の前部を支持するための前軸ｊ１を当該長孔２４に沿ってスライド可能に保持させてある。側壁２ｂにおける脚支柱１ｂに対応する前後方向中間部付近には、座高調節用の操作軸２５が回転可能に貫通状態で保持されている。
【００２４】
すなわち、側壁２ｂには、左右方向に延びる操作軸２５と、この操作軸２５の一端に設けられ脚支柱１ｂの伸縮ロックを直接的に解除するための解除操作部たるアーム２６と、操作軸２５の他端に設けられ使用者が直接的に回動操作するための操作レバー２７とが設けられており、これらによって脚支柱１ｂに係わり合う座高操作部が構成されている。側壁２ｂにおける脚支柱１ｂに対応する中間部分と反力ばねＢに対応する後端部分との間には、背フレーム４の基端部を後傾動作可能に枢支するための左右方向に延びる主軸ｓｊが貫装されている。
【００２５】
底壁２ｃは、側壁２ｂの下端部間に架設されたもので、脚支柱１ｂの上端部が装着されるボス部分２８を備えている。底壁２ｃの後端部、すなわち天壁２ａの後端開口部２２に対応する部分には、後述する反力ばねＢの下端部を取り付けるためのばね取付部たる下ばね取付部２９が設けられている。換言すれば、支持基部２は、背フレーム４を回動可能に支持する主軸ｓｊよりも後に位置する部位である後端部に、当該背フレーム４を前方に回動付勢する反力ばねＢを支持するための下ばね取付部２９を備えている。
【００２６】
なお、後傾動作制限機構Ｄを構成する受け面ｍの位置は、天壁２ａにおける主軸ｓｊに対応する上面部分よりも後側の上面部分に設定されている。
【００２７】
座３は、座受部材３１を上面に一体に有した座シェル３ａと座シェル３ａの上に装着されたクッション３ｂとを備えたものである。
【００２８】
座シェル３ａは、アウターシェルと称される構成のものであり、前部側の下面に前軸ｊ１を受けるための前軸保持部３２を備えているとともに後部側の下面に後軸ｊ２を受けるための後軸保持部３３を備えている。座受部材３１は、座３の上載荷重を受けるための板状のものである。座受部材３１は、その周縁部にクッション３ｂを止めるための複数の爪ｔ１を有している。
【００２９】
クッション３ｂは、発泡体を主体に作られたクッション本体３４に外装材３５を装着したものである。クッション３ｂは、外装材３５の周縁部分を座受部材３１に設けられた爪ｔ１に係止させることによって座シェル３ａ上に取り付けられている。
【００３０】
背フレーム４は、下部に背支持アーム４ａを配するとともに上部に上端取付部４ｂを配してなるものである。背フレーム４は、支持基部２の両側に配された左右対をなす背支持アーム４ａと、背支持アーム４ａの上端部に設けられた上端取付部４ｂとを備えている。背フレーム４は、背支持アーム４ａの基端部に架設された主軸ｓｊを介して支持基部２に枢支されている。なお、背フレーム４の外側には、合成樹脂により作られた隠蔽用のカバー４ｃが設けられている。
【００３１】
背支持アーム４ａは、その基端部から斜め前上方に延出してなる延出部４１を備えている。延出部４１間には、後軸ｊ２が架設されている。背支持アーム４ａは、その中間部に、反力ばねＢの上端部を支持するためのばね取付部たる上ばね取付部４３を有した横架材４２が架設されている。横架材４２と支持基部２との間には、後傾動作制限機構Ｄが設けられている。
【００３２】
上端取付部４ｂは、背支持アーム４ａ間に取り付けられている。上端取付部４ｂは、上縁から上方に突出した係合突部ｔ２と、中間部に穿設された係止窓ｔ３と、上部と下部とに複数設けられた雌ねじ孔ｎ１とを備えたものである。上端取付部４ｂは、背支持アーム４ａの上端に連続する左右対をなす側板４４と、両側板４４間に架設された上取付板４５と、上取付板４５の下縁から背支持アーム４ａ間に延出させた下取付板４６とを備えたものである。
【００３３】
上取付板４５の上縁には、係合突部ｔ２が上方に突出する態様で設けられている。上側の雌ねじ孔ｎ１は、上取付板４５における上部の左右二箇所に形成されている。上取付板４５の中間位置には、四角形状をなす係止窓ｔ３が設けられている。
【００３４】
下取付板４６は、背支持アーム４ａに溶接等により剛結されている。下側の雌ねじ孔ｎ１は、下取付板４６における下部の左右二箇所に形成されている。
【００３５】
しかして、本実施形態に示す椅子Ａは、後傾動作制限機構Ｄの働きにより、殆どの後傾動作を制限し得る後傾制限状態と所定範囲の後傾動作を許容し得る後傾非制限状態とを選択的に採り得るものとなっている。
【００３６】
後傾動作制限機構Ｄは、背フレーム４の支持基部２に対する後傾動作を制限することにより、背凭れＩ、及び、座３の支持基部２に対する相対回動を制限することができるようになっている。
【００３７】
後傾動作制限機構Ｄは、背フレーム４に軸たる駆動軸ｃ１を介して回転可能に支持され回動端に当たり面ａｔを有する回転部材Ｅと、回転部材Ｅの当たり面ａｔに対応させて支持基部２に設けられた受け面ｍと、背フレーム４が後傾しようとする際に当たり面ａｔが受け面ｍに当接し得る後傾制限姿勢（Ｆ）と当たり面ａｔが受け面ｍに当接しない後傾非制限姿勢（Ｇ）とを切り替えるための駆動軸ｃ１を有した操作部Ｃとを備えたものである。この実施形態では、受け面ｍが支持基部２における天壁２ａの上面によって構成されている。
【００３８】
回転部材Ｅは、当たり面ａｔを有し駆動軸ｃ１を介して背フレーム４に対して回転可能に支持された回転部材本体ｅ１と、回転部材本体ｅ１に一体に設けられ背フレーム４に係合して回転部材本体ｅ１の回動範囲を規制し得る回転止めｅ２とを備えたものである。
【００３９】
この実施形態では、回転部材Ｅが、単一の当たり面ａｔを備えたものとなっている。すなわち、この実施形態では、当たり面ａｔが、回転部材Ｅが後傾制限姿勢（Ｆ）を採る場合にのみ受け面ｍに当たり得るように、当該回転部材Ｅの一面側にのみ設定されている。操作部Ｃを構成する駆動軸ｃ１は、左右の背支持アーム４ａ間に貫通して設けられたものである。つまり、回転部材Ｅは、左右の背支持アーム４ａ間に位置している。回転部材Ｅは、駆動軸ｃ１に対して一体的に回転可能であり、且つ、軸心方向に移動可能に外嵌している。
【００４０】
詳述すれば、回転部材本体ｅ１は、当たり面ａｔを有した全体として板状をなすものである。回転部材本体ｅ１は、駆動軸ｃ１に対して一体的に回転し得るとともに当該駆動軸ｃ１の軸心方向に移動可能に外嵌し得るボス部ｅ１１と、ボス部ｅ１１の外周から突設された突出板ｅ１２と、この突出板ｅ１２の両面に形成され基端をボス部ｅ１１に一体化させた複数のリブｅ１３を備えたものである。なお、当たり面ａｔは、突出板ｅ１２の回動端である先端部、及び、リブｅ１３の回動端である先端部に設けられている。
【００４１】
回転止めｅ２は、ボス部ｅ１１の一方の端部から突出板ｅ１２に対して略直交する方向に延出させた延出部分ｅ２１と、延出部分ｅ２１の回動端部から駆動軸ｃ１と略平行になるように外方に突出した係合突起ｅ２２とを備えたものである。回転止めｅ２は、係合突起ｅ２２を背支持アーム４ａの下縁に設定された二箇所の当接部分である前当接部分ｕ１及び後当接部分ｕ２の何れかに選択的に当接させることにより、回転部材本体ｅ１の回転範囲を一定の範囲に規制している。
【００４２】
すなわち、後傾動作制限機構Ｄは、係合突起ｅ２２が前当接部分ｕ１に当接した状態では回転部材Ｅが後傾非制限姿勢（Ｇ）を採り得るものとなり、係合突起ｅ２２が後当接部分ｕ２に当接した状態では回転部材Ｅが後傾制限姿勢（Ｆ）を採り得るものとなるように構成されている。なお、後傾制限姿勢（Ｆ）における回転部材本体ｅ１は、受け面ｍに対して略直交する方向に延びた姿勢をなしている。換言すれば、後傾制限姿勢（Ｆ）における突出板ｅ１２の突出方向は、受け面ｍに対して略直交するように設定されている。
【００４３】
この実施形態では、後傾動作制限機構Ｄには、回転部材Ｅを後傾非制限姿勢（Ｇ）又は後傾制限姿勢（Ｆ）に節度停止させて安定保持するための節度機構Ｈが設けられている。
【００４４】
節度機構Ｈは、回転部材Ｅを複数の回動位置に節度停止させるものである。換言すれば、節度機構Ｈは、複数の回動位置に対応する後傾非制限姿勢（Ｇ）及び後傾制限姿勢（Ｆ）の何れかに節度停止させるためのものである。節度機構Ｈは、一方の背支持アーム４ａと回転部材Ｅとの間に設けられ回転部材Ｅを他方の背支持アーム４ａ側に向かって付勢する弾性部材たるコイルスプリングｓｐと、他方の背支持アーム４ａと回転部材Ｅとの間に設けられた係合部ｈ１とを備えたものである。
【００４５】
換言すれば、節度機構Ｈは、回転部材Ｅの一端面とこの一端面に対面する側の背支持アーム４ａの内面との間に設けられ所定の回動位置で相互に節度係合し得る係合部ｈ１と、回転部材Ｅを係合部ｈ１が係合し得る方向に付勢するコイルスプリングｓｐとを備えたものである。
【００４６】
係合部ｈ１は、回転部材Ｅにおけるボス部ｅ１１の一端部から回転部材本体ｅ１に沿って延出した突出片ｈ１１の先端部に設けられた凸部ｈ１２と、背支持アーム４ａの内側面に設けられた二つの凹部ｈ１３とを備えている。凸部ｈ１２は、二つの凹部ｈ１３の何れかに選択的に係わり合うことができるようになっている。
【００４７】
コイルスプリングｓｐは、回転部材Ｅにおけるボス部ｅ１１と、一方の背支持アーム４ａの内側面間に介設されたものである。コイルスプリングｓｐは、操作部Ｃの駆動軸ｃ１に巻装した状態で設けられている。ボス部ｅ１１には、コイルスプリングｓｐの一部を収容し得る凹陥部ｅ１４が形成されている。ボス部ｅ１１に凹陥部ｅ１４が設けられているため、一定の長さが保持されたコイルスプリングｓｐが安定的に配設されたものとなるだけでなく、回転部材Ｅと背支持アーム４ａ間に形成され得る隙間を可及的に小さくし得るものとなっている。
【００４８】
駆動軸ｃ１の一端は、背支持アーム４ａの外面よりも外方に突出させてあり、突出端に回転部材Ｅを回転可能に操作するための操作レバーｃ２が設けられている。すなわち、操作レバーｃ２を使用者の手によって回転操作すると、駆動軸ｃ１を介して回転部材Ｅを後傾制限姿勢（Ｆ）から後傾非制限姿勢（Ｇ）までの間で自由に回動させることが可能になる。その際、回転部材Ｅ全体がコイルスプリングｓｐの付勢力によって一方側の背支持アーム４ａの方向に押されているため、回転部材Ｅに一体に設けられた凸部ｈ１２が背支持アーム４ａに設けられた複数の凹部ｈ１３の何れかに円滑に係脱して節度動作が営まれる。
【００４９】
以上説明した背フレーム４に背凭れＩが取り付けられている。
【００５０】
背凭れＩは、座３とは異なった態様で後傾動作し得るものである。すなわち、この背凭れＩを支持する背フレーム４が後傾動作を行うと、背フレーム４に支持された後軸ｊ２が上昇しつつ後方に移動し、座３の後端側を斜め後上方に押し上げるとともに、座３の前端側を支持する前軸ｊ１が支持基部２の長孔２４に案内されて後上方に移動する。その結果、背フレーム４に支持された背凭れＩが後傾動作を行うと、座３は上昇しつつ後方に移動するようになっている。換言すれば、この実施形態に示される椅子Ａは、背凭れＩの後傾動作に伴って座３が後上方に上昇し得るように構成された体重感知式のロッキング機構を備えている。
【００５１】
背凭れＩは、背フレーム４の上端取付部４ｂに取り付けられた背シェルＪと、背シェルＪの前面側にのみ添設された図示しない背クッションを保持する背受け部材Ｍと、背シェルＪの背面側に装着された背面カバーＮとを備えてなる。換言すれば、背凭れＩは、背面カバーＮと、背シェル本体Ｋの下支持部分５と、背受け部材Ｍとによって三重構造が形成されている。
【００５２】
背シェルＪは、着座者の腰から下の部分を支持するための腰支持部分たる下支持部分５を有した背シェル本体Ｋと、この背シェル本体Ｋに一体に設けられた下支持部分５の側部から前側に延出する突出部である肘掛けＰとを備えたものである。背シェル本体Ｋと突出部である肘掛けＰとは共通の素材により一体に形成されている。換言すれば、背シェルＪは、着座者の後に位置した背シェル本体Ｋと、この背シェル本体Ｋの両側から前側に延出した着座者の左右に位置した突出部たる肘掛けＰとを備えたものであり、これら背シェル本体Ｋと肘掛けＰとが合成樹脂により一体に形成されている。
【００５３】
背シェル本体Ｋは、主として着座者の腰から下の部分を後方から支持するための下支持部分５、及び、主として着座者の腰から上の部分を後方から支持するための上支持部分６とを備えている。この実施形態では、背シェル本体Ｋの下支持部分５は、上述した三重構造における中間層を構成している。
【００５４】
下支持部分５は、背面に複数のリブを備えている。下支持部分５は、肘掛けＰにおける肘当て面ｐ２１の高さ位置よりも低い位置に設けられている。下支持部分５に設けられた複数のリブには、縦向きのリブ５ｂ及び横向きのリブ５ｃを含んでいる。換言すれば、下支持部分５は、後側に向かって強度を確保するためのリブを露出させている。下支持部分５は、背シェル本体Ｋの前面を形成する前面壁５ａと、この前面壁５ａの背面に設けられた縦向きのリブ５ｂ及び横向きのリブ５ｃを含む複数のリブと、縦向きのリブ５ｂ及び横向きのリブ５ｃを含む複数のリブが外部に露出するのを許容する窓５２を有した背面壁５ｄとを備えている。背面壁５の窓５２には、背面カバーＮが嵌合し得るようになっている。窓５２における左右方向に延びる上の開口縁、すなわち、背面カバーＮにおける左右方向に延びる上縁は、直線をなしている。そして、背シェルＪは、背面カバーＮの上縁である当該直線を同一方向に仮想的に延伸させた仮想延長線上に、肘掛けＰの肘当て面Ｐが位置するようになっている。この実施形態では、前面壁５ａと、リブの一部である縦向きのリブ５ｂ及び横向きのリブ５ｃと、背面壁５ｄの下縁部分を主体として、後方及び下方に開放された背フレーム取付部Ｑが形成されている。
【００５５】
背フレーム取付部Ｑは、背フレーム４の上端取付部４ｂに設けられた係合突部ｔ２が挿入される係止孔５３と、上端取付部４ｂに設けられた係止窓ｔ３の縁に係わり合う鉤部５４と、上端取付部４ｂに設けられた雌ねじ孔ｎ１に対応するねじ挿通孔５５と、背フレーム４の上端取付部４ｂが挿通し得る上下方向に連通した開口部５６を備えたものである。
【００５６】
詳述すれば、背フレーム取付部Ｑは、後面側を後方に露出させた前面壁５ａと、前面壁５ａの左右方向中間領域に左右方向に離間して配された対をなす縦向きのリブ５ｂと、縦向きのリブ５ｂの上部間に架設された横向きのリブ５ｃと、縦向きのリブ５ｂの下端部間を繋ぐ背面壁５ｄの下縁部分とを主体にして構成されたものである。下支持部分５における前面壁５ａと背面壁５ｄの下縁部分との間には、背フレーム４の上端取付部４ｂを挿入するための開口部５６が形成されている。すなわち、開口部５６は、背シェル本体Ｋの下端部における左右方向中央部に形成されている。また、縦向きのリブ５ｂの先端縁、横向きのリブ５ｃの先端縁、及び、背面壁５ｄにおける下縁部分の上縁とによって、後方に開放された矩形状の開口が形成されている。
【００５７】
係止孔５３は、下支持部分５における上部に配された横向きのリブ５ｃに形成されたスリット状の挿入口を有したものである。なお、係止孔５３に挿入された背フレーム４の係合突部ｔ２は、背シェル本体Ｋの前面側から視認し得るようになっている。鉤部５４は、先端部が基端部よりも下に位置するように下向きに突設された鉤状のものである。鉤部５４は、係止孔５３よりも下に位置しており、前面壁５ａの後側に突設されている。ねじ挿通孔５５は、前面壁５ａの上部及び下部に穿設されている。
【００５８】
背シェルＪの背フレーム４に対する取り付けは、例えば、次のように行われる。まず、背シェルＪの開口部５６に背フレーム４の上端取付部４ｂを挿通する。次に、背フレーム４の係合突部ｔ２を背シェルＪの係止孔５３に係合させつつ背フレーム４における係止窓ｔ３の下縁を背シェルＪの鉤部５４に掛け止めする。そうすると、背フレーム４の雌ねじ孔ｎ１と、背シェルＪのねじ挿通孔５５が合致することになる。続いて、ねじ挿通孔５５を通して雌ねじ孔ｎ１にねじｖ１を定着する。以上の過程を経て背シェルＪが背フレーム４に対して取り付けられることになる。
【００５９】
上支持部分６は、前面に縦リブ６ｂを備えている。換言すれば、上支持部分６は、正面側に左右方向に複数並んだ複数の縦リブ６ｂを露出させている。上支持部分６は、背シェル本体Ｋの後面を形成する背面壁６ａと、この背面壁６ａの前面に設けられた複数本の縦リブ６ｂと、背受け部材Ｍを取り付けるための上向き鉤状をなす取付爪６ｃとを備えたものである。
【００６０】
なお、背シェル本体Ｋは、上下方向中間位置に下支持部分５における前面壁５ａの上縁と、上支持部分６における背面壁６ａの下縁とを連続させるための境界壁ｋを備えている。境界壁ｋは、平面視において左右方向両端部が中央部よりも前側に突出するように形成されており、全体として湾曲形状をなしている。境界壁ｋの上面は、上支持部分６の前側に複数形成された縦リブ６ｂの下端部と接続している。
【００６１】
突出部である肘掛けＰは、背シェル本体Ｋの下支持部分５の側縁から前側に延出して設けられたものである。肘掛けＰは、前方に向かって漸次上下幅が小さくなる形状をなしている。肘掛けＰは、中間領域に空洞ｋｄを有する三角枠状のものである。
【００６２】
肘掛けＰは、背シェル本体Ｋと一体に隣接した後辺部ｐ１と、この後辺部ｐ１の上端から前方に述べる上辺部ｐ２と、この上辺部ｐ２の前端から後辺部ｐ１の下端に至る前辺部ｐ３とを備えている。肘掛けＰは、側面視において略三角形状をなしている。これら後辺部ｐ１、上辺部ｐ２、及び、前辺部ｐ３は、それぞれ棒状に形成されたものであり、後辺部ｐ１は背シェル本体Ｋに一体化されている。
【００６３】
後辺部ｐ１は、背シェル本体Ｋの前側に設けられたものであり、上辺部ｐ２の外側面ｐ２２及び前辺部ｐ３の外側面ｐ３２と面一に連続する外側面ｐ１２を備えている。
【００６４】
上辺部ｐ２及び前辺部ｐ３はそれぞれ平板棒状をなしている。上辺部ｐ２の上面には、略水平な平面状をなした肘当て面ｐ２１が形成されている。上辺部ｐ２は、上面である肘当て面ｐ２１と、この肘当て面ｐ２１に対して略直交する方向を向く外側面ｐ２２及び内側面ｐ２３とを備えている。
【００６５】
前辺部ｐ３は、前側を向く前向き面ｐ３１を備えている。前辺部ｐ３は、上辺部ｐ２の外側面ｐ２２と略面一に連続する外側面ｐ３２と、上辺部ｐ２の内側面ｐ２３と略面一に連続する内側面ｐ３３とを備えている。
【００６６】
肘掛けＰは、前辺部ｐ３の寸法ｗ３よりも後辺部ｐ１の寸法ｗ１が短く設定されており、且つ、後辺部ｐ１の寸法ｗ１よりも上辺部ｐ２の寸法ｗ２が短く設定されている。肘掛けＰにおける前辺部ｐ３の前縁は、背シェル本体Ｋの下縁すなわち背面壁５ｄの下縁に滑らかに連続している。また、肘掛けＰにおける前辺部ｐ３及び後辺部ｐ１の外側面は、背面壁５ｄの背面に面一に連続している。
【００６７】
背受け部材Ｍは、背シェル本体Ｋの前面に添設したものであり、その背シェル本体Ｋよりも柔軟性を有するように設定されている。背受け部材Ｍは、背シェル本体Ｋに比べて薄肉に設定された背受け部材本体７と、この背受け部材本体７の背面に設けられた比較的突出度合いの低い補強リブｒとを一体に備えたものである。この実施形態では、背シェル本体Ｋの下支持部分５に対応する背受け部材Ｍにおける下部は、上述した三重構造における前側の層を構成している。
【００６８】
背受け部材本体７は、背シェル本体Ｋの上支持部分６に対応する上部に、背シェル本体Ｋの上支持部分６に設けられた取付爪６ｃに係合する下向きの取付窓７１を備えている。また、背受け部材本体７は、背シェル本体Ｋの下支持部分５に対応する下部に、背シェル本体Ｋの下支持部分５に設けられた取付突起ｔ４に弾性係合し得る弾性係合部７２を備えている。背受け部材本体７は、その周縁部近傍に図示しない背クッションにおける外装材の周縁部を係止するための背クッション取付用の係止爪７３を備えている。
【００６９】
背面カバーＮは、下支持部分５の背面に装着されたものである。背面カバーＮは、背シェル本体Ｋの背面壁５ｄの外面と略面一となる状態で、窓５２に装着され得る形態をなしている。すなわち、背面カバーＮは、背フレーム取付部Ｑが設けられており、且つ、外部に表出している下支持部分５の背面側を好適な外観にするべく隠蔽し得るものとなっている。この実施形態では、背面カバーＮは、上述した三重構造における後側の層を構成している。
【００７０】
具体的には、背面カバーＮは、その下縁部に突設された係止突片Ｎ１と、その上縁部近傍に背シェルＪ側に向かって突設された弾性爪Ｎ２と、上端部近傍における左右両端部近傍に設けられ背シェルＪに設けられたねじ挿通孔ｔ５を通過した図示しないねじが螺着するナット部Ｎ３とを備えている。背面カバーＮは、その係止突片Ｎ１を背シェル本体Ｋにおける窓５２の下縁近傍に設けられたスリット状又は凹陥状の係止部５７に挿入した状態で、弾性爪Ｎ２を背シェル本体Ｋにおける下支持部分５の上部に設けられた弾性爪係合部５８に弾性係合させるとともに図示しないねじをナット部Ｎ３に螺着することによって、背シェル本体Ｋに取り付けられるようになっている。なお、背シェルＪの前面壁５ａにおける弾性爪係合部５８に対応する部位には、弾性爪Ｎ２と弾性爪係合部５８との係わり合いを解除し得るようにするための連通孔５９が形成されている。
【００７１】
なお、この実施形態の椅子Ａは、図２３に示すように、背凭れＩとして背シェル本体Ｋの上下方向の寸法を異ならせた複数タイプのものを取り付け可能に構成されている。図１〜４等に図示しているものは、いわゆるローバックタイプと称されるものであり、図２３における中央に示している。図２３における右側に示すものは、ローバックタイプのものよりも背シェル本体Ｋの上下方向の寸法（及び、これに対応する背受け部材Ｍの上下方向の寸法）が長いいわゆるハイバックタイプと称されるものである。図２３における左側に示すものは、ローバックタイプのものよりも背シェル本体Ｋの上下方向の寸法（及び、これに対応する背受け部材Ｍの上下方向の寸法）が短いいわゆるミニバックタイプと称されるものである。ミニバックタイプの背シェル本体Ｋは、下支持部分５を主体に構成されており、背受け部材Ｍの大きさもミニバックタイプの背シェル本体Ｋの大きさに対応して形成されている。この実施形態に示された背面カバーＮは、上記何れのタイプの背シェルＪに対しても共通的に取り付け得るように構成されている。換言すれば、何れのタイプの背シェルＪにおいても背シェル本体Ｋの下支持部分５に設けられた背面カバーＮが装着され得る窓５２の大きさは共通に設定されている。
【００７２】
次いで、この実施形態における後傾動作制限機構Ｄに関連する椅子Ａの作動を説明する。
【００７３】
背凭れＩに対して後方への荷重を作用させない状態では、背凭れＩが反力ばねＢの付勢力、及び、座３に作用する着座者の体重に起因した付勢力により、背凭れＩが前方に付勢され、後軸ｊ２が支持基部２における天壁２ａの上面に設けられたストッパ２３に当接した初期位置に保持されている。
【００７４】
操作部Ｃに対する操作により、回転部材Ｅを、図７等に示すように、支持基部２に当接し得ない後傾非制限姿勢（Ｇ）にしている場合には、背凭れＩに対して後方への押圧力が付与されると、当該背凭れＩが背フレーム４とともに後傾動作し得ることになる。背凭れＩに対する後方への押圧力をなくせば、当該背凭れＩは、初期位置に自己復帰することになる。
【００７５】
一方、操作部Ｃに対する操作により、回転部材Ｅを、図２０、及び、図２１に示すように支持基部２に当接し得る後傾制限姿勢（Ｆ）にしている場合には、背凭れＩに対して後方への押圧力が付与されても回転部材Ｅの当たり面ａｔが支持基部２の受け面ｍに当たることになり、背凭れＩとともに背フレーム４の後傾はほとんどできないように制限される。
【００７６】
回転部材Ｅは、節度機構Ｈの働きにより、後傾非制限姿勢（Ｇ）と後傾制限姿勢（Ｆ）において、それぞれ安定保持されるようになっている。節度機構Ｈは、使用者に対して、操作部Ｃによる操作完了を示唆し得る明確なクリック感を与えることができるため、良好且つ軽快な切り替え操作に寄与し得るものとなっている。
【００７７】
以上説明したように、本実施形態に係る椅子Ａは、背フレーム４に支持された背シェルＪを備えたものである。そして、背シェルＪが、背シェル本体Ｋと、背シェル本体Ｋに一体に設けられた肘掛けＰとを備えている。背シェル本体Ｋの前面には、背シェル本体Ｋよりも柔軟性のある背受け部材Ｍを添設している。このため、剛性に優れた背シェルＪを有するとともに、背受け部材Ｍを添設することにより、着座者の背中に対して一定程度のクッション性を付与し得る設計の自由度に優れた椅子Ａを提供することができるものとなる。つまり、背シェル本体Ｋと肘掛けＰとを一体に形成した背シェルＪ自体は、種々の構成を、その全体的な剛性を重視して形成することができる。その一方で、背受け部材Ｍは、背シェル本体Ｋの前面側に設けることによって、着座者に対して直接的にクッション性を付与し得るものとなる。このため、背受け部材Ｍにおけるそれ自体の構成や、背受け部材Ｍに添着された図示しないクッションを利用して着座者に対して好適なクッション性を付与し得るものとなる。
【００７８】
背シェル本体Ｋの背面に装着された背面カバーＮを備えている。そして、背面カバーＮと、背シェル本体Ｋと、背受け部材Ｍとによって、三重構造が形成されている。このため、剛性に背シェル本体Ｋの前側に位置してなる背受け部材Ｍによって、着座者への好適なクッション性を付与し得るとともに、背シェル本体の後側に位置してなる背面カバーＮによって、種々の複雑な構造、例えば、背フレーム４との接続部分等を好適に隠蔽することができるものとなっている。この実施形態では、背シェルＪの背面側における下部に、リブを含んで構成された背フレーム４との接続部分である背フレーム取付部Ｑを設けている。このため、当該背フレーム取付部Ｑ及びその周辺部の複雑な構造を、背面カバーＮによって好適に覆い隠すことができるものとなっている。
【００７９】
背シェル本体Ｋが、着座者の腰から下を支持するための下支持部分５を備えている。そして、肘掛けＰが、下支持部分５の両側から前側に延出して設けられている。このため、下支持部分５の両側から延出した肘掛けＰの存在によって、着座者Ｐの肘部分を支持し得るものとなっている。しかも、肘掛けＰが下支持部分５の両側から延出してなるものであるため、背シェルＪ全体が剛性に優れたものとなるだけでなく、着座者に対して安心感を与え得る背凭れＩを構成し得るものとなっている。
【００８０】
背シェル本体Ｋが、着座者の腰から下を支持するための下支持部分５、及び、着座者の腰から上を支持するための上支持部分６を備えている。このため、下支持部分５及び上支持部分６とによって、着座者の背中における下部及び上部を好適に支持し得る背凭れＩを構成し得るものとなっている。
【００８１】
下支持部分５が、背シェル本体Ｋの前面を形成する前面壁５ａと、前面壁５ａの背面に設けられた縦向きのリブ５ｂ及び横向きのリブ５ｃを含む複数本のリブとを備えたものであり、前面壁５ａとリブの一部である縦向きのリブ５ｂ及び横向きのリブ５ｃを利用して下方に開放された背フレーム取付部Ｑが形成されている。このため、下支持部分５は、リブによって剛性に優れたものとなっている。また、背フレーム取付部Ｑが、複数本のリブを含んで構成されているものとなっているため、背フレーム４と接続し得る剛性に優れたものとなっている。
【００８２】
背フレーム４が、背フレーム取付部Ｑに装着される上端取付部４ｂを備えている。そして、上端取付部４ｂが、上縁から上方に突出する係合突部ｔ２と、中間部に穿設された係止窓ｔ３と、下端と上端近傍部に設けられた雌ねじ孔ｎ１とを備えている。背フレーム取付部Ｑが、係合突部ｔ２が挿入される係止孔５３と、係止窓ｔ３の縁に係わり合う鉤部５４と、雌ねじ孔ｎ１に対応するねじ挿通孔５５とを備えている。このため、背フレーム４と背フレーム取付部Ｑとを、好適に位置決めして取り付け得るものとなっている。
【００８３】
背フレーム取付部Ｑが、左右方向に離間する対をなす縦向きのリブ５ｂと縦向きのリブ５ｂの上部間に架設された横向きのリブ５ｃとを含んで構成されたものである。そして、係止孔５３が、横向きのリブ５ｃに形成されたものであり、鉤部５４及びねじ挿通孔５５が前面壁５ｄに設けられたものである。このため、下支持部分５における強度を確保するための構成を利用して、好適な背フレーム取付部Ｑが実現されている。
【００８４】
背シェル本体Ｋが、着座者の腰から下を支持するための下支持部分５及び着座者の腰から上を支持するための上支持部分６を備えている。そして、下支持部分５が、板状をなす前面壁５ａと、前面壁５ａの背面側に設けられた複数のリブを備えている。上支持部分６は、板状をなす背面壁５ｄと、背面壁５ｄの前面側に設けられた複数のリブである縦リブ６ｂとを備えている。背シェル本体Ｋは、前面壁５ａの上縁と背面壁５ｄの下縁とを連続させるための境界壁ｋを備えている。このため、背シェル本体Ｋは、前面壁５ａと背面壁５ｄとを繋ぐ境界壁ｋによってねじれに対して強い構造を備えたものとなっている。
【００８５】
背シェルＪを有した背凭れＩと、この背凭れＩの後傾動作に連動して後方に動作し得る座３とを備えており、これら背凭れＩ及び座３が、脚体１における脚支柱１ｂ回りに回転可能に構成されている。このため、ロッキングや回転動作を行い得る椅子Ａにおいて好適な背凭れＩを提供し得るものとなっている。
【００８６】
なお、本発明は、以上に詳述した実施形態に限られるものではない。
【００８７】
背受け部材の外面側にクッションを設けていないものであってもよい。すなわち、背受け部材が、例えば、複数の帯状の部材等を含んで構成されたものであって、それ自体によってクッション性を発揮し得るようになっているものであってもよい。
【００８８】
背面カバーの形状は、種々の形状を採用することができるものであり、本実施形態に示されるものに限定されるものではない。
【００８９】
背シェル本体、背受け部材、及び、背面カバーとによって構成される三重構造は、全体的に構成されたものであってもよいし、部分的に構成されたものであってもよい。例えば、背面カバーを、中間壁ないし中間層となる背シェル本体と略同程度の高さ寸法をなすものとし、当該背面カバーを背面側の壁ないし背面側の層として設けるようにしてもよい。また、背受け部材を、中間壁ないし中間層となる背シェル本体よりも低い高さ寸法をなすものとし、当該背受け部材を前面側の壁ないし前面側の層として設けるようにしてもよい。
【００９０】
その他、各部の具体的構成についても上記実施形態に限られるものではなく、本発明の趣旨を逸脱しない範囲で種々変形が可能である。
【符号の説明】
【００９１】
Ａ…椅子
Ｊ…背シェル
Ｋ…背シェル本体
Ｐ…肘掛け
Ｍ…背受け部材
Ｎ…背面カバー
４…背フレーム
５…下支持部分
６…上支持部分
【図１】
2018057641.tif 000003
【図２】
2018057641.tif 000004
【図３】
2018057641.tif 000005
【図４】
2018057641.tif 000006
【図５】
2018057641.tif 000007
【図６】
2018057641.tif 000008
【図７】
2018057641.tif 000009
【図８】
2018057641.tif 000010
【図９】
2018057641.tif 000011
【図１０】
2018057641.tif 000012
【図１１】
2018057641.tif 000013
【図１２】
2018057641.tif 000014
【図１３】
2018057641.tif 000015
【図１４】
2018057641.tif 000016
【図１５】
2018057641.tif 000017
【図１６】
2018057641.tif 000018
【図１７】
2018057641.tif 000019
【図１８】
2018057641.tif 000020
【図１９】
2018057641.tif 000021
【図２０】
2018057641.tif 000022
【図２１】
2018057641.tif 000023
【図２２】
2018057641.tif 000024
【図２３】
2018057641.tif 000025